(57)【要約】【課題】  従来のワイヤーブラシは使い捨てが多く、何度も繰り返し使用したブラシは外側に開いて倒れてしまい（３）、ブラシを起こして再使用するのは困難で面倒である。【解決手段】２つに分けたブラシ先端部分の合わさりを中心として柄の部分を両方向に開くように  ３６０度回転させる事で、外側に倒れたワイヤーブラシ同士を内側にあわせ、ブラシを中央部分に集め失われたブラシ機能を回復させる。【選択図】図１
2018110826.tif 000002
【特許請求の範囲】
【請求項１】
ワイヤーブラシの植え付け部分の先端部から、縦方向にワイヤーブラシの植え付け部分の終わりまで２つ又は複数の部分に分けて、２つに分けたブラシの合わさり部分の先端を中心に、ワイヤーブラシを３６０度回転させ外側部分を内側に合わせ、柄の部分が取り付け取り外し可能な、何度も再生可能なワイヤーブラシ。
【請求項２】
回転方向に対して使用する円形ワイヤーブラシにおいて、１枚のワイヤーブラシの両端が開いて使えなくなることを見こして、あらかじめブラシの真中付近で分けられるように２枚または複数枚に分けて作成しておいて、両端が開いてブラシが使いにくくなった時にワイヤーブラシの内側と外側を入れ替え、ブラシ密度を内向きに合わせてブラシを中央部に集めることでブラシ機能を回復させ、２つ又は複数に分けたワイヤーブラシをフック、ボルトや簡易ボルトなどにより、何度も再生可能なワイヤーブラシ。
【請求項３】
箱状、板状型で、右側左側２つの箱状と板状部材などにおいて、右側箱状、板状部材（１）の右角部分と左側の箱状、板状部材（２）の右角部分、又左側の箱状板状部材において、左側箱状、板状部材（２）の左角部分と右側の箱状板状部材（１）の左角部分同士を板状又はベルト状などでつないで、上下又は、左右の部材の間にある角を側面から見て、互いの角をＸ状に板状又はベルト状などで略蝶番状部材でつないでいて、先端部分の角２ヶ所を移動する蝶番の支点として、略蝶番状部材で互い乗り越え、横方向に左右真横へ密着状態に２つの箱状又は板状部材同士が、向かい合う２つの角部分を移動出来る板状の部材であり、複数本などの略蝶番状部材で箱状、板状部材（１）、（２）をつなぎ、右角と右角、左角と左角の角同士を連結部材などでＸ形につないで、何度も互いの部材を乗り越え移動出来る密着移動可能な箱型、板型部材と何度も再生可能なワイヤーブラシ
【請求項４】
Ｔ形ワイヤーブラシのブラシ部分は長手方向に２分割され、２つに分けた部材の右側のブラシ（１）と左側のブラシ（２）は、片側づつに１つ又は複数のブラシ植え付け部分を合わせた、右側のブラシ（１）と左側のブラシ（２）を設け、ブラシ植え付け部分を油圧プレスもしくはボルト等で固定していて、ブラシ部材の反対側の、ブラシ部材の合わせ目は、フック、ホック、かぎ型、テープ、引っかけバックル状、パンチ形状又はバックル状や簡易ボルトなどで取り外し可能に固定して、２つまたは複数のブラシ部材を重ね合わせたブラシ植え付け部分を１つの部材にまとめ挟持固定して使用する柄の部分を取り外し可能な何度も再生可能なワイヤーブラシ。
【発明の詳細な説明】
【技術分野】
【０００１】  本発明の用具は、ワイヤーブラシの先端部から、縦方向に柄の終わりまでの右側（１）と同じくワイヤーブラシの先端部から、縦方向に柄の終わりまでの左側（２）の２つの部分に分けて、２つに分けたブラシの合わさり部分にある、ブラシ先端の角部分の２ヶ所を支点に、ワイヤーブラシ片方のブラシの柄を３６０度回転させ外側部分を内側に合わせる構成。
例えば、２つに分けたブラシの先端をつなぐ２つの角の合わさり部分を支点として柄の部分を両方向に開くように回転させる事で、外側に倒れたワイヤーブラシ同士の方向を内側にあわせ、開いたブラシを中央部分に集め失われたブラシ機能を回復させる。
ブラシ密度を内側に合わせて安定させることで、目詰まりの無い、研磨、切削を容易かつ効果的に行うことが出来る、再使用可能なワイヤーブラシを提供する。
左右２つのブラシを合わせて一つの部材としたブラシの反対側の、ブラシの合わせ目はフック、ホック、かぎ型、テープ、引っかけバックル状、パンチ形状又はバックル状や簡易ボルトなどで取り外し可能に固定して、２つまたは複数のブラシを重ね合わせたブラシ植え付け部分を１つの部材に挟持固定して使用する。
回転方向に対して使用する円形ワイヤーブラシにおいても、ワイヤーブラシを両端が開いて使いづらくなる、事をみこして２枚又は複数のワイヤーブラシをボルトなどによりブラシ２枚又は複数枚を脱着自在に作成しておいて、両端が開いて使いにくくなった、時点でワイヤーブラシの内側を外側とを入れ替えブラシ密度を内側に合わせてブラシを中央部に集めることでブラシ機能を回復させる。【０００２】  例えば、ワイヤーブラシ以外にも、右の箱状部材又は板状部材と左の箱状部材又は板状部材の左右２つの部材を合わせて、１つの箱状部材又は板状部材とする。
右側の箱状部材又は板状部材（１）と左側の箱状部材又は板状部材（２）の連結部分を蝶番のように１ヵ所で固定することなく、略蝶番状の部材で箱状部材又は板状部材（１）と（２）をつないでいて、板状部材やベルト状などの略蝶番状の部材で、本発明品は構成されて、船舶、自動車、鉄道車両製造、建物や観光船の屋根又は屋根ガラスと窓ガラスを一体化した３６０度回転可能な窓などにも軽量化応用可能な発明である。
本発明品は自動車、列車、車両、船舶などの窓枠製造、歯ブラシ、医療用器具、建物などへの転用する事も可能である。
【背景技術】
【０００３】  安価なワイヤーブラシが作業によって使えなくなると、修理せずに新しいワイヤーブラシに交換するのが大部分であり、使い捨ての品物が増えて不経済になり。
又、回転方向に対して使用する、円形ワイヤーブラシは外側に開いたブラシを中央部に集めることで、ブラシ機能を回復させる事が出来る。
【先行技術文献】
【特許文献】
【特許文献１】特開２０１２−０９３４０２公報
【発明の概要】
【発明が解決しようとする課題】  そのために次のような問題点があった。
従来のワイヤーブラシは使い捨てが多く、何度も繰り返し使用したブラシは外側に開いて倒れてしまい、ブラシを起こして再使用するのは困難で面倒である。
回転方向に対して使用する円形ワイヤーブラシにおいても、ワイヤーブラシの両端が開いて使いづらくなる、問題点があった。
遊覧船、観光船の川下りなどの遊覧船は風で雨や波しぶきを受けるので遊覧コースが中止になるケースが多くなる課題がある。
【課題を解決するための手段】
【０００４】  上から見て横置きにワイヤーブラシ２つを並べてブラシを横方向に回す時、ブラシの角と角が当たる角部分２ヶ所を支点に、ブラシの柄を横方向に外側に開き１回転させブラシを集める事で、倒れたブラシを内側に合わせ外側に開いて失われたブラシ機能を回復させる。
例えば、本発明のワイヤーブラシなどは左右２つに分けた、右と左のワイヤーブラシ（１）又は（２）を横方向に回転させる、例えば、ワイヤーブラシ（２）はワイヤーブラシ（１）の幅と厚みの角を乗り越えて、ワイヤーブラシ（１）の反対側にワイヤーブラシ（２）を密着状態に隙間なく移動できる。
右側ワイヤーブラシ部材（１）と左側ワイヤーブラシ部材（２）は、板状、ベルト状、紐状などの部材のとりつけで、略蝶番部材は板状、ベルト状、ひも状の部材でブラシと板状の回転を支え、右側ワイヤーブラシ部材（１）と左側ワイヤーブラシ部材（２）をつないでいる。【０００５】  図４では、例えば、左右２つのワイヤーブラシなどの板状部材先端部分に蝶番状などの部材を取り付け、右側ワイヤーブラシ部材（１）と左側ワイヤーブラシ部材（２）の２ヶをつなぐ構成は、右側ワイヤーブラシ部材（１）の右角（６）と左側ワイヤーブラシ部材（２）の右角（７）同士を略蝶番の２枚の板などでＸ状につなぎ、左側ワイヤーブラシ部材（２）の左角と（５）、右側ワイヤーブラシ部材（１）の左角（８）同士も板状部材などに、略蝶番状部材２枚の両端に２ヶづつ、連結部材４ヶ又は蝶番、ベルトなどを用いて、略蝶番状部材を構成している。
例えば、左右２つの右側ワイヤーブラシ部材（１）と左側ワイヤーブラシ部材（２）の２ヶをつなぐ構成は、板状ベルト状又は紐状部材などで右側部材（１）と左側部材（２）をつないでいる構成である。
左右２つで１つのワイヤーブラシの、片方に１つ又は２つ以上のブラシ部材を合わせた、直線状、正弦波状、又は密度をあげて曲線状などにブラシを植え付けている、左右２つで１つのワイヤーブラシである。
左側と右側のブラシは油圧プレス又はボルトにより、ブラシを固定した植え付け部分と樹脂などで固定したブラシ植え付け部分で作成する。
右ワイヤーブラシ部材（１）において、作成したブラシ植え付け部分は、直線状、正弦波状又は密集させた植え付けなどで、また左ワイヤーブラシ部材（２）において、同じく波形状又は波形を密集させた植え付けなどに、油圧プレス又はカップに植えつけボトルによりブラシを固定する植え付け方法で、１つ目のブラシと同様に作成して、左右２つまたは片方づつに複数のブラシを重ねた部材を１つのワイヤーブラシとして使用する。
又円形状ワイヤーブラシのフランジなどは、油圧プレス又はカップに植えつけ樹脂などで固定した植え付け方法などで作成する。【０００６】  本発明は、例えば、左右２つのワイヤーブラシで１つのワイヤーブラシなどを構成している。
右側のブラシ部材（１）と左側のブラシ部材（２）において、右側のブラシ部材（１）は、右側のブラシ部材（１）の右角部分と左側のブラシ部材（２）の右の角部分同士を板状やベルト状、紐状などでつないでいる。
同じく、例えば、左右２つで１つの、ワイヤーブラシで、ワイヤーブラシ（１）とワイヤーブラシ（２）において、左側のワイヤーブラシ（２）は、左側ブラシ部材（２）の左角部分と右側のブラシ部材（１）の左角部分同士を板状又はベルト状などの略蝶番状部材で、つないでいて、２つの角部分を移動する略蝶番状部材の構成は、板状の部材などの他にベルト、紐など複数本がある。
図３でワイヤーブラシ部材（１）、（２）は横に並べ右角と右角、左角と左角の角同士を板状部材又は、蝶番などの連結部材や、ベルト状、紐状などでつないでいて、右側のブラシ部材（１）と左側のワイヤーブラシ（２）を左右に１８０度開いた状態でつないでいるベルト（３）とベルト（４）の２つあるうちのベルト（３）とベルト（４）は並行して取り付け、ベルトの上下は、どちらが上でも下でも上下の位置変更は自在である。【０００７】  例えば、板状やベルト状複数本などで略蝶番状につなぎ、右のブラシ部材（１）と左のブラシ部材（２）は、ブラシを回転させる時、ブラシの角と角が当たる角部分の２ヶ所を支点に右方向、左方向に互いに回りながら、相手のブラシ部材などを乗り越えて移動する事が出来る、板状などの部材でつないでいるワイヤーブラシなどである。
ワイヤーブラシ又はＴ形状のワイヤーブラシの反対側にあるブラシを止める部分は、合わせ目をフック、ホック、かぎ型フック、テープ、パンチ形状又はバックル状や簡易ボルトなどで取り外し可能に係合部材などで固定して、２つまたは複数のブラシを重ね合わせたブラシ植え付け部分を１つの部材にし挟時固定して使用する。【０００８】  左右２つで１つのワイヤーブラシなどは、右側のブラシ部材（１）と左側のブラシ部材（２）の連結部分において、連結部分を蝶番のように１ヵ所で固定することなく、板状、ベルト状の部材の長さを右側と左側のブラシの幅や厚みとおおむね同じ長さにして、右部材から左部材にＸ状に渡して、右側ブラシ先端の右角と左側ブラシ先端の右角と同じく、左側ブラシ先端の左角と右側ブラシ先端左角に板やベルト状、紐状などを使用しでつないだ角部分を支点として、略蝶番状に似た作用を介して反対側のブラシ又は板などを３６０度回転させて、板状、ベルト状や紐状の部材の支えで隣の部材を乗り越え、回転させ、右側ブラシの左角（８）から、左側ブラシ（２）の左角（５）にまた、右側ブラシ（１）の右角（６）から左側ブラシの右角（７）に板状又はベルト状のような部材でつないでいる構成であり、ブラシは何度も繰り返し使用が可能である。【０００９】  回転方向に対して使用する円形ワイヤーブラシにおいても、使用するワイヤーブラシの両端が開いて使いづらくなり、１枚のワイヤーブラシの両端が開いて使いにくくなることを見こして、あらかじめブラシの真中付近で２枚または複数枚に分けて作成しておいて、両端が開いて、ブラシが使いにくくなった時にワイヤーブラシの内側と外側を入れ替え、ブラシ密度を内向きに合わせてブラシを中央部に集めることでブラシ機能を回復させる。【００１０】  例えば、ワイヤーブラシ以外にも、右の箱状部材又は板状部材と左の箱状部材又は板状部材の左右２つを合わせて、１つの箱状部材又は板状部材として、右側の箱状部材又は板状部材部材（１）と左側の箱状部材又は板状部材（２）の連結部分を蝶番のように１ヵ所で固定することなく、略蝶番状部材の部材でつなぐ構成で、板状部材やベルト状又は紐状の略蝶番状に働く部材の組み合わせにより本発明品は構成されている。
右の箱状部材又は板状部材と左の箱状部材又は板状部材同士をつなぐ、ベルト状の長さは、右側と左側の箱状部材板状部材の幅又は厚みとおおむね同じ長さにして、箱状部材から箱状部材に渡している。
すなわち、右側箱状部材右角から左側箱状部材右角に同じく左側箱状部材の左角から右側箱状部材の左角に略蝶番部材をＸ状に結び、２つの角を支点として略蝶番部材で乗り越え、４か所の蝶番など連結部材の組み合わせなどでつないでいる構成で、遊覧船、観光船などにおいて、遊覧船などで川を下る時に、船内に水しぶきが入るのを防ぐために、側面ガラスまたは側面の透明ビニールシート部材は、屋根ガラスなどと取り付けが一体化され、屋根と側面ガラスとの合わさり部分の構成は、屋根の左角と側面ガラスの左角、そして側面ガラスの右角と屋根の右角とを板状又はベルト状などのような部材でつないでいる構成で船舶、自動車、鉄道車両製造などにも応用可能な発明であり、遊覧船、観光船のガラス屋根でガラス屋根と側面ガラスが一体化され、雨や波しぶきを避ける、側面ガラスがガラス屋根の上と下に密着、収納可能な開閉式の側面ガラスなどである。
【発明を実施する最良の形態】
【００１１】  本発明の実施の形態を図１、図２、図３、図４、図５、図６、図７、図８で説明する。
本発明のワイヤーブラシなどは左右２つに分けた、右のワイヤーブラシ（１）と左のワイヤーブラシ（２）などで構成されている
本発明は左右２つで１つのワイヤーブラシを構成していて、例えば、右側のブラシ部材（１）と左側のブラシ部材（２）において、右側のブラシ部材（１）の右角部分（６）と左側のブラシ部材（２）の右角部分（７）同士を板状またはベルト状、紐状などでつないでいる。
同じく、例えば、左右２つで１つのワイヤーブラシで、左側のワイヤーブラシにおいて、左側ブラシ部材（２）の左角部分（５）と右側のブラシ部材（１）の左角部分（８）同士を板状やベルト状、紐状などの部材でつないでいて、ブラシを回転させる時、ブラシの角が当たる角部分２ヶ所を支点に、右方向、左方向に互いに回りながら、相手のブラシ部材などを乗り越えて移動する事が出来る略蝶番状部材を構成する板状やベルト状複数本などで  左右２つのワイヤーブラシ部分の右角と右角、左角と左角の角同士を板状やベルト状、紐状など複数本で略蝶番状に左側ブラシ部材（２）と右側のブラシ部材（１）をつないでいる。
右側部材（１）と左側部材（２）の２つある部材の反対側の合わせ目は、例えば、Ｔ形ワイヤーブラシ又は歯ブラシ状の部材をフック、ホック、かぎ型テープ、パンチ形状又はバックル状や簡易ボルトなどで取り外し可能に係合部材で固定して、２つまたは複数のブラシを重ね合わせたブラシ又はブラシ植え付け部分を１つの部材として挟持固定をして使用する。
【００１２】  例えば、左右２つのワイヤーブラシ部材は、両者を板状などの略蝶番板状部材２つ以上でつなぎ、部材に要求される強度に合わせ、略蝶番状の部材複数組をブラシ部分（１）とブラシ部分（２）の間に取り付けて、場合によっては、増加する板状又はベルト状、紐状の部材の本数は奇数本でも良い構成である。
【００１３】  図１は発明を実施する最良の形態に係る、外側に開いて倒れたワイヤーブラシである。
図２で、外側に開いて倒れたブラシ部分の方向を互いに向き合わせ、２つに分けたブラシの先端の合わさり部分の２つの角を支点に回し合わせる事で、外側に倒れたワイヤーブラシ同士を内側に集め、失われたブラシ機能を回復させたワイヤーブラシを示す。
図３の正面図は、例えば、右側のブラシ（１）と左側のブラシ（２）を左右に１８０度開いた状態で右側のワイヤーブラシ（１）と左側のワイヤーブラシ（２）の合わさり部分に取り付けて、つないでいるベルト（３）とベルト（４）の上部分のベルト（３）は、正面方向から見て右側ベルトの取り付けが見えている表側の右側のワイヤーブラシ（１）の左角（８）を通し、左側のワイヤーブラシ（２）の角（５）を通して、取り付けが見えない反対側のワイヤーブラシ左側部分（２）に取り付けているベルト（３）である。
【００１４】  同じく図３で、ベルト（３）とベルト（４）の２つあるベルトの、下部分のベルト（４）は、正面方向から見て取り付けが見えないブラシ右側奥の右側角（６）からブラシ左側の取り付けが見える左側のワイヤーブラシ（２）の見える部分（７）へ、手前側のブラシ左側部分に取り付けているベルト（４）の正面図であり、ワイヤーブラシを左右に１８０度開いた状態でつないでいるベルト（３）とベルト（４）の上下は、どちらが上でも下でも位置の入れ替えは自在であり、右側のブラシ（１）左側のブラシ（２）を繋いでいる構成の正面図である。
図３は、右側のブラシ（１）と左側のブラシ（２）にベルトを上部分と下部分に複数組を繰り返し取り付け、左右のブラシをつないでいて、正面方向から見て上と下のベルトを平行にベルトを取り付けている構成の正面図である。
【００１５】  図３の上部分のベルト（３）は右側ワイヤーブラシ部材（１）の左角（８）から左側ワイヤーブラシ部材（２）の左角（５）につなぎ、下部分のベルト（４）は右側ワイヤーブラシ部材（１）の右角（６）から左側ワイヤーブラシ部材（２）の右角（７）につないでいる構成の正面図である。
図の４で、上方向の平面図から見て、右ワイヤーブラシ（１）と左ワイヤーブラシ（２）の２つのブラシ部分を横方向に１８０度開いてこれら右角と右角、左角と左角の各角々に、板状部材を使い上からの平面図で見てＸ状に止める角の説明をする。
図４は、右ワイヤーブラシ（１）と左ワイヤーブラシ（２）をＸ状につなぐ連結部分で、板状などの部材の略蝶番状部材２本をブラシ部材（１）と（２）の間をＸ型に交差させ、略蝶番状板状部材２本の両端部分の４ヶ所に蝶番状又はベルト状など連結部材を取り付け、ワイヤーブラシ（１）とワイヤーブラシ（２）をつないでいて、両者のブラシ部材（１）と（２）をつなぐ略蝶番状部材はベルト状、ひも状などでも良い。
【００１６】  図の４は、例えば、本ブラシの先端部分を略蝶番状の２つの板状部材などを介して、右ワイヤーブラシ（１）と左ワイヤーブラシ（２）の部材の間を互いにＸ状につないでいて、右ワイヤーブラシ（１）の左角（８）と左ワイヤーブラシ（２）の左角（５）と右側ワイヤーブラシ部材（１）の右角（６）、左側ワイヤーブラシ部材（２）の右角（７）、の２ヵ所とを蝶番と同じ動作可能な略蝶番状の働きで、厚みと幅のある先端部分の角２ヶ所を支点として互い乗り越えて横方向に左右真横へ密着状態に移動が出来る。
例えば、これらの板状部材の略蝶番状部材の両端は蝶番状部材４ヶ又はベルト状などの連結部材でつないで、２つで１セットの部材の回転を支える、略蝶番状部材で板状部材による、２つの角を支点として互いのワイヤーブラシを乗り越え、隙間なく密着して板状の部材（１）と板状の部材（２）の両者をつないでいる。
例えば、２枚で１つのセットの、片方１枚の板状蝶番状部材は両端２ヵ所に蝶番状の部材などがあり、２枚１セットで、４ヵ所に蝶番などの連結部材があり、板状部材は蝶番４ヶなどで左右のワイヤーブラシを結んでいる。
例えば、図４で、左右２つで１つのワイヤーブラシは、右側のブラシ部材（１）と左側のブラシ部材（２）の連結部分において、連結部分を蝶番のように１ヵ所で固定することなく、板状やベルト状の部材の長さは右側と左側のブラシの幅や厚みとおおむね同じ長さにして、右部材から左部材に渡して、右側ブラシ先端の右角と左角から相対して互いに交差する左側ブラシの右角と左角に板やベルト状、紐状を使用してＸ状につなぎ、回転する時は蝶番に似た略蝶番状作用をひき出している。
【００１７】  例えば、図４は本発明のワイヤーブラシに係る２つの部材、右側のブラシ（１）と左側のブラシ（２）の２つのブラシ（１）と（２）を横方向に直線状につなぎ、上方向からみて（１）と（２）の略蝶番板状部材を２つの角から角にＸ形状につなぐ構成で、複数の板状又はベルト状の部材で略蝶番状につないでいて、蝶番のように連結部分を１ヶ所に固定することなく、２つの角を移動する板状部材を使用した略蝶番状部材で、３６０度ワイヤーブラシ右（１）とワイヤーブラシ左（２）のどちらへも回転移動が可能な上方向からみた平面図である。
例えば、図４の右側ワイヤーブラシ部材（１）と左側ワイヤーブラシ部材（２）は、板状、ベルト状、紐状部材など板状の部材で構成する略蝶番状で、ブラシの往復運動を支え、２枚の板状部材両端に蝶番などの連結部材４ヶをとりつけて、略蝶番状部材は構成され、右側ワイヤーブラシ部材（１）と左側ワイヤーブラシ部材（２）をつないでいて、右側ワイヤーブラシ部材（１）の右角（６）と左側ワイヤーブラシ部材（２）の右角（７）左側ワイヤーブラシ部材（２）の左角（５）、右側ワイヤーブラシ部材（１）の左角（８）を板状部材の略蝶番状部材などワイヤーブラシ部材同士を結んでいる平面図である。
【００１８】  例えば、図５の正面図で横に２つ並べた、右側ワイヤーブラシ（１）と左側ワイヤーブラシ（２）の右側ワイヤーブラシ（１）は、横方向に左回転させながら、隣のワイヤーブラシ（２）の上を回転するように乗り越えて、ワイヤーブラシ（２）の左部分にワイヤーブラシ（１）は隙間なく密着状態でワイヤーブラシ（２）の左側に移動できる。
又、同じくワイヤーブラシ（１）の右部分にワイヤーブラシ（２）は隙間なく密着状態でワイヤーブラシ（１）の右側にワイヤーブラシ（２）は移動できる
例えば、図５で、略蝶番運動が出来る板状部材は２つ並んだ左側のブラシ部材（２）右側のブラシ部材（１）の左角部分と左角部分（同士）右角部分と右角部分（同士）をつないでいる板状、ベルト状、紐状などの部材構成の上面斜視図である。
【００１９】  例えば、図５で、右側ワイヤーブラシ部材（１）と左側ワイヤーブラシ部材（２）は、右側のワイヤーブラシ部材（１）と左側のワイヤーブラシ部材（２）を縦に並べて置いた時の各角の番号は左側ワイヤーブラシ部材左角（５）左側ワイヤーブラシ部材右角（７）右側ワイヤーブラシ部材左角（８）右側ワイヤーブラシ部材右角（６）である。
左から（５）、（７）、（８）、（６）と並んでいる。
右側ブラシと左側ブラシの位置を変えると左側の角（５）（７）と右側の角（８）（６）が左右入れ替わり（８）、（６）、（５）、（７）の角の番号となる。
右側ワイヤーブラシ部材が左側ワイヤーブラシ部材の上を略蝶番状に回転する様に乗り越え移動をする構成の説明をする。
次に、右側ワイヤーブラシ（８）と左側ワイヤーブラシ（７）の角、右側ワイヤーブラシ（６）と左側ワイヤーブラシの角（５）の角、２ヵ所と２ヵ所の４ヵ所の角を蝶番的に合わせ、略蝶番状に回転する様に乗り越え移動をする構成の説明をする。
まず、右側ワイヤーブラシ（８）と左側ワイヤーブラシ（７）の角を蝶番的に触れ合わせ、上方向に移行し角が略蝶番状態での働きで１８０度縦方向に回転して上方向に立ちあげ、次に右側ワイヤーブラシ（６）から左側ワイヤーブラシ（５）の２つの角を蝶番的に触れ合わせて略蝶番の働きで下方向に１８０度回転して右側ワイヤーブラシ部材（１）を横から下におろし、左側ワイヤーブラシ部材を乗り越え隙間なく、左側ワイヤーブラシ部材の左側に移動できる。
【００２０】  図６では、Ｔ型のワイヤーブラシの説明する。
Ｔ型のワイヤーブラシは、摩耗と関係ない柄の部分を残して、ブラシのみ再使用可能に修復するので、ブラシを取り付ける柄の部分は捨てることなく、ブラシのみ交換する事が出来て経済的であり、ブラシの再使用が重なりブラシの修復が出来なくなっても、新しいＴ型部分のワイヤーブラシのみ変えることと、本発明におけるワイヤーブラシのブラシの長さ及び、ブラシの幅とブラシの形状およびブラシを固定する蝶ネジなども自由に変更可能である。
図６では、例えば、Ｔ型のワイヤーブラシは、左右２つに分けたブラシ部分を合わせて一つの部材としたブラシ部材の反対側の、ブラシ部材の合わせ目は、フック、ホック、かぎ型、テープ、引っかけバックル状、パンチ形状又はバックル状や簡易ボルトなどで取り外し可能に固定して、２つまたは複数のブラシ部材を重ね合わせたブラシ植え付け部分を、１つの部材にまとめ挟持固定して使用する。
【００２１】  図６で示すように、本発明品は、ワイヤーブラシを持つ柄とワイヤーブラシがＴの字状などの形状に作成している。
ワイヤーブラシは長手方向に２分割され、２つに分けた部材の右側のブラシ（１）と左側のブラシ（２）は、片側づつに１つ又は複数のブラシ植え付け部分を合わせた、右側のブラシ（１）と左側のブラシ（２）を設け、ブラシ植え付け部分を油圧プレスもしくはボルト等で固定していて、柄とブラシ部分はフック、ホック、蝶螺子、簡易ボルト、引っかけバックル状などで、柄とブラシ部分を、１つの部材にまとめ挟持固定して使用する。
【００２２】  図７で、回転方向に対して使用する、円形ワイヤーブラシにおいて使用中に、ブラシの両端が開いて使えなくなる事をみこして、真ん中付近で２つ又は複数に分けたワイヤーブラシをフック、ボルトや簡易ボルトなどにより、円形ワイヤーブラシの内側と外側を入れ替える事を想定して、両端が開いて使いにくくなった時点で、ワイヤーブラシの内側と外側とを入れ替え、ブラシを中央部に集めること、ブラシ密度を内向きに合わせてでブラシ機能を回復させる事が出来る、何度も再生可能なワイヤーブラシである。
【００２３】図８で、游覧船、観光船の上部材のガラス屋根と側面ガラス板は、屋根部材と側面ガラス部材との２つを合わせて、ガラス屋根上部材と側面ガラスの下部材が一体化され、２つの板として真ん中で折る事が出来るガラス屋根の上側板部材（１）と下板部材の側面ガラス（２）の連結部分は、略蝶番部材でつないでいて、板状やベルト状の部材で屋根（１）と側面ガラス（２）の屋根部分の厚みと側面ガラス部材の厚みの幅とおおむね同じ長さにして、板状ベルト状の部材の支えで略蝶番部材の作用で回転させて、ガラス屋根部材（１）の板と側面ガラス部材（２）の板は、ガラス屋根板部材（１）屋根の上角から側面ガラス部材（２）の下角に、又ガラス屋根板部材（１）屋根板の下角から側面ガラス部材（２）の上角に、つまり両者の角を板状又はベルト状でつないで右上部板と左下板材の角と角とを板状又はベルト状のような部材でつないでいる構成で船舶、自動車、鉄道車両製造などにも応用可能な発明であり、遊覧船、観光船のガラス屋根でガラス屋根と側面ガラスが一体化され、雨や波しぶきを避ける、側面ガラスがガラス屋根に密着可能な開閉式側面ガラスである。
本発明品は自動車、列車、車両、船舶などの窓枠製造、歯ブラシ、建物へ転用も可能である。
【図面の簡単な説明】
【００２４】
【図１】  発明を実施する最良の形態に係る、外側に開いて倒れて使えないブラシの状態図である。
【図２】  ワイヤーブラシが外側に開いたブラシを内側に向け改善したブラシ状態図である。
【図３】  本発明のワイヤーブラシの部材を使用する左ブラシ植え付け部分と右ブラシ植え付け部分を、横方向に直線状に１８０度広げた状態で左ブラシ植え付け部分と右ブラシ植え付け部分を、移動する蝶番風のブラシ角へのベルトの取り付け場所正面図である。
【図４】  ワイヤーブラシ部材とワイヤーブラシ部材の合わせ目をベルトまたは板状部材を右から左、左から右側へと取り付けたベルト状、紐状などを、上方向の平面図から見てＸ形にベルトをクロスに取り付けているワイヤーブラシの平面図である。
【図５】  右側ブラシ部材（１）と左側ブラシ部材（２）を縦に２つ並べて置いた状態での、各角の番号の上面斜視図である。
【図６】  ワイヤーブラシの柄がワイヤーブラシの植え付け部分の方向とだいたい直角の状態で交わるＴ型形状のワイヤーブラシの上面斜視図である。
【図７】  回転させて使用する円形ワイヤーブラシを真ん中から、２つに分けた分解図である
【図８】  遊覧船、観光船のガラス屋根でガラス屋根と側面ガラスが一体化され、船の側面ガラスがガラス屋根と密着可能な開閉式側面ガラスの状態図である。
【符号の説明】
【００２５】１  ワイヤーブラシの植え付け部分の先端部から、縦方向に柄の終わりまで２つに分けた右側の柄
２  ワイヤーブラシの植え付け部分の先端部から、縦方向に柄の終わりまで２つに分けた左側の柄
３  ２つあるベルトの、上部分のベルト（３）は、ベルトの取り付けが見えている表側の右側のワイヤーブラシ（１）の左角（８）を通し、左側のワイヤーブラシ（２）の角（５）を通して、取り付けが見えない反対側のワイヤーブラシ左側部分（２）に取り付けているベルト（３）の正面図である。
４  ２つあるベルトの、下部分のベルト（４）は、正面方向から見て取り付けが見えないブラシ右側奥の右側角（６）からブラシ左側の取り付けが見える左側のワイヤーブラシ（２）の見える部分（７）へ、手前側のブラシ左側部分に取り付けているベルト（４）の正面図である。
５  左側ワイヤーブラシの柄（２）の左角部分
６  右側ワイヤーブラシの柄（１）の右角部分
７  左側ワイヤーブラシの柄（２）の右角部分
８  右側ワイヤーブラシの柄（１）の左角部分
【図１】
2018110826.tif 000003
【図２】
2018110826.tif 000004
【図３】
2018110826.tif 000005
【図４】
2018110826.tif 000006
【図５】
2018110826.tif 000007
【図６】
2018110826.tif 000008
【図７】
2018110826.tif 000009
【図８】
2018110826.tif 000010